(57)【要約】【課題】ハイブリッド現像において、現像ゴーストを改善し、かつキャリ飛びの発生を防止し、長期間安定した画像品質が得られる現像装置を提供することにある。【解決手段】ハイブリッド現像方式による現像装置において、キャリア４の平均粒子径を３０〜４０μｍ、飽和磁化を３５ｅｍｕ／ｇ以上、現像剤担持体１の主極磁力を８０ｍＴ以上とし、紙間および最終印字終了後のトナー担持体２のＡＣ印加電圧の周波数を８．０ｋＨｚ以上とする。【選択図】図１
2008058605.tif 000002
【特許請求の範囲】
【請求項１】
トナーおよびキャリアを含有する二成分現像剤を現像剤担持体の表面に担持させ、該現像剤担持体の表面の二成分現像剤からトナーのみをトナー担持体の表面に移送させてトナー担持体の表面にトナー層を形成させ、該トナー層からトナーを、静電潜像が形成された静電潜像担持体の表面に飛翔させて静電潜像をトナー像として現像する画像形成装置における現像装置であって、前記キャリアは、平均粒子径が３０〜４０μｍ、飽和磁化が３５ｅｍｕ／ｇ以上、前記現像剤担持体の主極磁力は８０ｍＴ以上であり、紙間および最終印字終了後の前記トナー担持体のＡＣ印加電圧の周波数が８．０ｋＨｚ以上であることを特徴とする現像装置。
【発明の詳細な説明】
【技術分野】
【０００１】
本発明は、電子写真方式を利用した複写機、プリンタ、ファクシミリそれらの複合機などの画像形成装置に使用する現像装置に関し、特に磁性キャリアを用いて非磁性のトナーを帯電させる２成分現像剤を使用し、帯電されたトナーのみを現像ローラ上に均一に薄層形成し、現像ローラの交流重畳直流電圧により現像ローラ上のトナーを静電潜像に飛翔させることで該潜像を現像するようにした現像装置に関する。
【背景技術】
【０００２】
従来より、電子写真方式の画像形成装置における、乾式トナーを用いる現像方式としては、一成分現像方式および二成分現像方式が知られている。
一成分現像方式は、キャリアを含まないため、キャリアおよびトナーから形成される磁気ブラシによって感光体の静電潜像が乱されることがなく、高画質化に適している。しかし、一成分現像方式は、トナーの帯電量を安定して維持することが難しい。また、カラートナーの場合、透過性が求められるため、非磁性トナーである必要がある。そのため、フルカラー画像形成装置においては、トナーを帯電および搬送する媒体としてキャリアを用いる二成分現像方式を採用する場合が多い。
二成分現像方式は、安定した帯電量が長期にわたって得られるため、長寿命化に適している。しかし、二成分現像方式は、上述の磁気ブラシによる影響のため、画質の点では不利である。
【０００３】
近年、これら現像方式のそれぞれの利点を活かすべく、長寿命化を考慮して帯電領域は二成分現像方式を採用し、高画質化を狙って現像領域は一成分現像方式を採用したハイブリッド現像方式が注目されている。特に、高画質化および長寿命化が重視されるフルカラー画像形成装置においては、この現像方式の特徴が充分に発揮される。
ハイブリッド現像方式は、トナーおよびキャリアを含有する二成分現像剤を磁気ローラの表面に担持させて磁気ブラシを形成し、該磁気ブラシからトナーのみを現像ローラの表面に移送させてトナー層を形成し、該トナー層からトナーを、静電潜像が形成された感光体の表面に飛翔させて静電潜像をトナー像として現像する方式である。
【０００４】
従来のハイブリッド現像装置では、現像ローラのトナー薄層において 現像性の高い粗粉トナーは選択的に静電潜像担持体に現像されやすく、帯電量の高い微粉トナーは現像されにくく所謂選択現像のため、連続印字を続けているとやがて現像ローラ表面に、微粉トナーが付着し、画像濃度の低下といった不具合がある。このような不具合に対して、例えば、特許文献１では、現像ローラへのトナー付着防止のため、紙間及び最終印字終了後現像ローラ直流電圧＋１００Ｖ、交流電圧Ｖp-p１．４〜１．７ｋＶ、周波数４〜８ｋＨｚとすることにより、印字後の現像ローラ表面の残トナーをマグローラへ回収し、現像ローラ表面へのトナー付着を防止している。
【特許文献１】特開２００５−１０２９０号公報
【発明の開示】
【発明が解決しようとする課題】
【０００５】
しかしながら、前記残トナーのマグローラへの回収時は、現像ローラとマグローラ間の電圧差が＋１００Ｖであることにより、キャリアはマグローラから現像ローラ方向への力を受けることとなる。このため、キャリア飛び防止のためマグローラ主極による磁気拘束力が低下しないよう、通常５０μｍ以上の粒径のキャリアを使う。その結果  従来のハイブリッド現像においては、キャリア飛びの防止はできるが、一方で現像ゴーストに対してはまだ改良の余地を残すものとなっている。
本発明の課題は、ハイブリッド現像において、現像ゴーストを改善し、かつキャリア飛びの発生を防止し、長期間安定した画像品質が得られる現像装置を提供することにある。
【課題を解決するための手段】
【０００６】
本発明者は、上記課題を解決すべく鋭意研究を重ねた結果、現像剤担持体の主極を所定値以上の磁力とし、そしてキャリアを所定の平均粒子径と所定値以上の飽和磁化とし、紙間および最終印字後のトナー担持体の交流印加電圧の周波数を所定値以上とすることにより、キャリア飛びを防止でき、かつ現像ゴーストの発生を抑制できることを見出して、本発明を完成させるに至った。
すなわち、本発明の現像装置は、以下の構成を有する。
【０００７】
（１）トナーおよびキャリアを含有する二成分現像剤を現像剤担持体の表面に担持させ、該現像剤担持体の表面の二成分現像剤からトナーのみをトナー担持体の表面に移送させてトナー担持体の表面にトナー層を形成させ、該トナー層からトナーを、静電潜像が形成された静電潜像担持体の表面に飛翔させて静電潜像をトナー像として現像する画像形成装置における現像装置であって、前記キャリアは、平均粒子径が３０〜４０μｍ、飽和磁化が３５ｅｍｕ／ｇ以上、前記現像剤担持体の主極磁力は８０ｍＴ以上であり、紙間および最終印字終了後の前記トナー担持体のＡＣ印加電圧の周波数が８．０ｋＨｚ以上であることを特徴とする現像装置。
【発明の効果】
【０００８】
本発明によれば、所定の平均粒子径をもった小粒径のキャリアを用いるので、キャリア表面積の増加により、トナー薄層形成およびトナー剥ぎ取り性能が向上し、現像ゴーストの発生が低減する。また、キャリアが所定以上の飽和磁化を有し、現像剤担持体の主極を所定以上の磁力とし、また、紙間および最終印字後のトナー担持体の交流印加電圧の周波数を所定以上とするので、キャリアの磁気拘束力を保持でき、キャリア飛びを防止することができる。
【発明を実施するための最良の形態】
【０００９】
以下、図面に基づいて本発明の実施の形態を例示的に詳しく説明する。図１、２に本発明にかかる現像装置の一例を示す。本発明の現像装置は、上記したようなハイブリッド現像方式であり、磁性キャリアおよび非磁性トナーからなる２成分現像剤が収容される。この現像剤における磁性キャリアは、体積平均粒径が３０〜４０μｍであり、飽和磁化が３５ｅｍｕ／ｇ以上である。
キャリアの体積平均粒径が上記範囲内であれば、すなわち従来用いられている５０μｍのものに比べて小粒径にすることにより、従来のものと同じ重量に対して表面積を略２倍近くにすることができ、これにより、磁気ブラシの現像ローラへの接触ニップの先端はキャリアの比表面積が大きくなって現像ローラ上の現像残トナーを剥ぎ取る効果が大きくなり、現像ゴーストの改善を図ることができる。３０μｍ未満であると、現像剤の流動性が悪くなり、トナーとの攪拌混合時に均一分散が困難になる。また、４０μｍを超えるとトナー薄層の形成が弱くなる。
また、飽和磁化が３５ｅｍｕ／ｇ以上であると、現像に使用されなかった現像ローラ上の残トナーを磁気ローラ上に形成された現像剤の磁気ブラシで摺擦しながら掻き取る際に、十分な摺擦力を得ることができ、現像ゴーストの発生を抑制できる。しかし、３５ｅｍｕ／ｇ未満であると、十分な摺擦力を得ることができず、またキャリア飛びが発生しやすくなる。
【００１０】
キャリアの体積平均粒径は、図６に示すようなレーザー回折／散乱式粒度分布測定装置（例えば、堀場製作所製ＬＡ−５００）により求めることができる。測定方法としては、試料１０ｇを測り取り、溶媒としてメタノールを１００ｍＬ使用し、メタノールが入っているサンプルホルダーに試料を少しずつ入れ、撹拌する。サンプル溶液を超音波分散バス３１で分散、撹拌しながら循環ポンプ３２で循環し、レーザ照射部３３にサンプル溶液を流し込む。次いで、光源としてＨｅ−Ｎｅレーザ３４を使用し、照射されたレーザのビーム径をビーム拡大器３５で拡大してレーザ照射部３３に照射し、回折光Ｍを集光レンズ３６を通して検出器３７で検出し、ＡＤ変換器３９にて電気信号に変換して装置制御・演算部３８で粒度分布を計算してデータを測定する。
【００１１】
また、キャリアの飽和磁化は、振動試料型磁力計(ＶＳＭ−Ｐ７−１５型：東英工業製)を用いて、専用容器に試料を充填し秤量した後、サンプルホルダーにセットし３．９８×１０5Ａ／ｍの印加磁場の飽和磁化を測定する。
【００１２】
本発明におけるキャリアは、例えば鉄、ニッケル、コバルト等の磁性体金属及びそれらの合金、あるいは希土類を含有する合金類、ヘマタイト、マグネタイト、マンガン−亜鉛系フェライト、ニッケル−亜鉛系フェライト、マンガン−マグネシウム系フェライト、リチウム系フェライトなどのソフトフェライト、銅−亜鉛系フェライト等の鉄系酸化物およびこれらの混合物等の磁性体材料を焼結、アトマイズ等を行うことによって製造した磁性体粒子を使用することができる。また、該磁性体粒子の表面をスチレンアクリル樹脂、アクリル樹脂、スチレン樹脂、シリコン樹脂、アクリル変性シリコン樹脂、フッ素樹脂等の樹脂で被覆してもよい。また、上記キャリアとして磁性体分散型樹脂を使用することもできる。この場合、用いる磁性体としては上記磁性体材料が使用でき、結着樹脂としては、例えばビニル系樹脂、ポリエステル樹脂、エポキシ樹脂、フェノール樹脂、尿素樹脂、ポリウレタン樹脂、ポリイミド樹脂、ポリアミドイミド樹脂、セルロース樹脂、ポリエーテル樹脂あるいはこれらの混合物を挙げることができる。
【００１３】
本発明における非磁性トナーは、平均粒径が６〜１０μｍであり、結着樹脂、着色剤などで構成されている。結着樹脂としては、例えばポリスチレン系樹脂、アクリル系樹脂、スチレン−アクリル系共重合体、ポリエチレン系樹脂、ポリプロピレン系樹脂、ポリ塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン樹脂等の熱可塑性樹脂を使用するのがよい。
【００１４】
着色剤としては、特に限定されるものではないが、例えばブラック、マゼンタ、シアンおよびイエローの顔料などが挙げられ、公知の材料を用いることができる。これらの着色剤は結着樹脂１００質量部に対して、通常２〜２０質量部、好ましくは５〜１５質量部の割合で配合される。
【００１５】
２成分現像剤中のトナー濃度は１〜２０質量％、好ましくは３〜１５質量％であるのがよい。トナー濃度が１質量％未満の場合、画像濃度が薄くなりすぎるおそれがある。一方、トナー濃度が２０質量％を超える場合、現像装置内でトナー飛散が発生し、機内汚れや記録紙などの背景部分にトナーが付着する不具合が生じるおそれがある。
【００１６】
次に、本発明にかかる現像装置について説明する。
図１において、感光体３と現像ローラ２を配設し、該現像ローラ２から所定間隔をおいて非磁性金属材料で円筒状に形成され、円筒内には複数の固定磁石が配設されて、該固定磁石の周囲を回転可能に構成されたスリーブを有した磁気ローラ１が配設されている。
本発明では、磁気ローラ１の主極の磁力は８０ｍＴ以上である。好ましくは１２０ｍＴ以上である。磁気ローラ１の主極の磁力を８０ｍＴ以上とすることにより、キャリア４を磁気ローラ１により強く引き付けることができ、紙間およびイメージ間でのキャリア飛びを防止できる。
【００１７】
１０ａ、１０ｂはパドルミキサーで、トナー５がこれによって攪拌帯電させられる。感光体１と現像ローラ２との間には現像バイアス電圧ＤＣ７ａとＡＣ７ｂが印加され、磁気ローラ１には現像バイアス電圧ＤＣ８が印加される（図２参照）。９は磁気ブラシの厚さを制御する規制ブレードである。この規制ブレード９と磁気ローラ１表面との間のギャップは０．４５〜０．６５ｍｍの範囲であることが好ましい。
【００１８】
次に、感光体３と、現像装置内の磁気ローラ１と、現像ローラ２との作用を説明する。
図２に示すように、この磁気ローラ１は、トナー５を帯電させて保持するキャリア４による磁気ブラシを発生させる。また、現像ローラ２の表面には、磁気ブラシから供給されたトナー５によりトナー薄層６が形成される。そして、感光体３は、トナー薄層６のトナーを静電潜像に応じて選択的に飛翔させて画像形成を行なう。この画像が、1次転写ローラ１３との間を通過する印刷体１４に転写される。
【００１９】
感光体３としては、正帯電有機感光体（正ＯＰＣ）がオゾンなどの発生が少なく帯電が安定しており、特に単層構造の正ＯＰＣは長期にわたって使用し膜厚が変化した場合においても、感光特性に変化が少なく画質も安定するため、長寿命のシステムにおいて最適である。これに加えて、ａ−Ｓｉ感光体も用いることもできる。
長寿命のシステムとする場合、正ＯＰＣの膜厚を２０μｍから４０μｍ程度に設定するのが有利である。正ＯＰＣは、画像形成に使用するときに膜厚が減少して１０μｍに達すると絶縁破壊によって黒点の発生が目だってくることからこれを防ぐ意味で２０μｍ以上に設定することが好ましいが、４０μｍを超えると感度が低下し画質低下の要因と成り易くなる。
【００２０】
露光装置１１は、半導体レーザーもしくはＬＥＤを用いたシステムが適当である。この場合、正ＯＰＣでは７７０ｎｍ付近の波長が有効であり、ａ−Ｓｉ感光体では６８５ｎｍ付近の波長が有効である。以下、正ＯＰＣ用いた場合を例に挙げて説明する。
帯電装置１２によって静電潜像担持体である正ＯＰＣ３を４００Ｖに帯電する。その後、７７０ｎｍの波長のＬＥＤによって露光を行うと露光後電位は７０Ｖに設定される。正ＯＰＣ３は現像ローラ２に対し、約２５０μｍの空間をもって配置される。この空間にはワイヤー電極等は用いない。
【００２１】
現像ローラ２の表面は導電性のアルミニュウムからなる回転体である。現像ローラ２と磁気ローラ１の電位差にて現像ローラ２にトナー薄層６を形成する。電位差は、現像ローラ２の電位を７０Ｖ、磁気ローラ１の電位を４００Ｖにすることで、現像ローラ２に約１〜１．５ｍｇ／ｃｍ2のトナー層６が形成される。この時のトナー５の帯電量は、約１０〜２０μＣ／ｇが適正であり、１０μＣ／ｇに達しないときはトナー５飛散が目立ち、２０μＣ／ｇを超えると薄層形成されたトナー５が感光体３へ飛翔し難くなる。
【００２２】
現像ローラ２から感光体３へとトナーを飛翔させるために現像ローラ２へ交流電圧を印加することで現像性が高められる。電圧としては、ＶP-P＝１．５ｋＶ、ｆ＝３．０ｋＨｚで画像濃度・ドット再現・カブリ除去のバランスをとることができる。また、デューティ（Ｄｕｔｙ）比（現像ローラに印加する交流電圧のデューティ比で、トナー５が感光体側に移動するような電圧を現像ローラ２に印加する時間をａ、トナー５が感光体３と反対方向（即ち現像ローラ方向）に移動するような電圧を現像ローラ２に印加する時間をｂとして、デューティ比＝ａ／（ａ＋ｂ）（×１００）％）は３０％にすることで現像ゴーストの発生を抑制することができる。
【００２３】
現像ローラ２のトナー層表面越しの電位を測定すると約３２０Ｖとなっており、３２０Ｖ−７０Ｖ（全露光後感光体電位）＝２５０Ｖが実質の現像の実行電位であるといえる。
磁気ローラ１と現像ローラ２とのギャップは、通常４００μｍに設定されており、規制ブレード９と磁気ローラ１のギャップはキャリア４の粒径に応じて調整される。例えば、平均粒径３５μｍのキャリア４とトナー５が１０％の現像剤においては３５０〜５００μｍに設定し、磁気ブラシが現像ローラ２に接触する設定とする。現像ローラ２と磁気ローラ１のギャップが狭すぎると現像剤がローラ間を通過できずに溢れてしまい、広すぎると現像ローラ２に接触できず現像ローラ２のトナーを回収することが困難になり、現像動作を繰り返すと次第に現像ローラ２にトナー５が固着してしまい、感光体３にトナー５が飛翔できなくなってしまう。
【００２４】
次に、本発明の現像装置を備えた画像形成装置を用いて現像を行なう際には、現像ローラ２から感光体ドラム３へトナーを飛翔させるために現像ローラ２へ交流電圧を印加させるが、非現像時の交流電流の周波数は静電潜像の現像時における周波数以上となるように制御する。なお、ここで非現像時とは現像ローラ２回転中で且つ感光体ドラム３が帯電されている時間の内、静電潜像が現像されている時間を除いた時間である。
【００２５】
本発明では、非現像時における現像ローラ２の交流電圧の周波数は８ｋＨｚ以上である。好ましくは９ｋＨｚ以上である。このとき電位差は、現像ローラ２の電位を１００V、磁気ローラ１の電位を０Ｖにする。これにより紙間および最終印字後における現像ローラ２のトナー薄層６の剥ぎ取りの際、キャリア４飛びを防止できる。
【００２６】
以下、実施例を挙げて本発明を詳細に説明するが、本発明は以下の実施例のみに限定されるものではない。
【００２７】
［実施例１、比較例１］
キャリア４の平均粒子径が現像ゴーストに及ぼす影響について調べた。図1に示したシステム構成からなる評価機Ｂ２７（京セラミタ社製、プリンタ）において、実施例１としての平均粒径３５μｍのキャリア４（ＶＢ−１２；パウダーテック社製）および比較例１としての６０μｍのキャリア４（ＶＢ−１２−２；パウダーテック社製）、および平均粒径９μｍトナー５（ＫＴ−Ｃ１８Ｂ；花王社製）を用いて、下記の電界条件の下で、以下のようにして調べた。なお、キャリア（ＶＢ−１２）は、コア；Ｃｕ−Ｚｎ、コート樹脂；ＰＡＩ／Ｆ樹脂、飽和磁化；４０Ａｍ2／ｋｇ（４０ｅｍｕ／ｇ）、残留磁化；１．３４Ａｍ2／ｋｇ、抵抗；１．８６×１０14Ω／ｃｍ3であり、キャリア（ＦＳＬ−２２）は、平均粒径６０μｍを除いてＶＢ−１２と同じである。
電界条件等の設定：
（現像ローラ）        （磁気ローラ）
直流電圧：            画像形成時；１００Ｖ              ２５０〜５００Ｖ
剥ぎ取り時；１００Ｖ              ０Ｖ
交流電圧の周波数：    画像形成時；１．８〜３．６ｋＨｚ    −  
剥ぎ取り時；３．０〜９．０ｋＨｚ    −  
デューティ比：                    ２７％                ７３％    
ＶP-P：                           １．６ｋＶ            ３００Ｖ
磁気ローラの主極磁力強度：            −                ８４ｍＴ
現像ローラ２にゴーストパターンの画像を次のように形成した。まず、現像ローラ２の１周目の画像の先端位置から現像ローラ２のトナー薄層６を形成した。ゴーストパターンの画像長さは、現像ローラ２の１周長さに設定し、１周目画像は現像ローラ２の１回転でのトナー薄層６による形成画像（ゴーストパターン画像出力）である。２周目画像は現像ローラ２の２回転でのトナー薄層６による形成画像であり、以下同様にして３、４周目画像を形成した。このとき、磁気ローラ１の直流電圧を２５０〜５００Ｖ、現像ローラ２の交流電圧の周波数を１．８〜３．６ｋＨｚ変化させて、前記ゴーストパターン画像出力をし、１周目画像に対する２周目、３周目、４周目画像の色差ΔＥを測定した。色差ΔＥは、反射濃度計（マクベス社製）を用いて測定した。結果を図３に示した。
図３で、「１−２」は現像ローラ２の１周目画像に対する２周目画像のΔＥ、「１−３」は１周目に対する３周目、「１−４」は１周目に対する４周目のΔＥある。
【００２８】
図３に示すように、比較例１である６０μｍの大粒径のキャリア４では、各電界条件において現像ローラ２の１周目画像に対する２周目、３周目、４周目のΔＥが増加し、４．０〜８．０となっている。それに対して、実施例１である３５μｍの小粒径のキャリア４ではΔＥの変化幅は小さく４周目のΔＥは２．０以下となった。ΔＥの変化は、現像ローラ２の１〜４周目画像の各現像ローラ２のトナー薄層厚の変化を反映しているものと考えられる。したがって、６０μｍのキャリア４では、３５μｍのキャリア４に比べ、ΔＥの増加幅が大きく、これは現像ローラ２の１周目からのトナー薄層厚の増加を示している。これに対して、３５μｍのキャリア４では、現像ローラ２の１周目からのトナー薄層厚の変化は小さく、小粒径のキャリア４を用いることにより、キャリアの比表面積が増加し、ハイブリッド現像の２成分現像ニップ部でのトナー薄層６の形成および剥ぎ取り性能が向上し、現像ゴーストの発生が少なくなっていることを示している。
【００２９】
［実施例２、比較例２］
図1に示したシステム構成からなる評価機Ｂ２７（京セラミタ社製、プリンタ）を用いて、実施例２としての３５μｍのキャリア４（ＶＢ−１２；パウダーテック社製）と比較例１としての５０μｍのキャリア４（ＦＳＬ−２２；パウダーテック社製）について、イメージ間における現像ローラ２のトナー薄層６の剥ぎ取り時でのキャリア飛びについて調べた。実施例１と同様の電界条件下で、印字された用紙の先端部の幅２１．２ｍｍ（スリーブ１周分）の帯内のキャリア４の個数をマイクロスコープ（キーエンス社製）を用いてカウントし、キャリア飛びを測定した。結果を図４に示した。
図４に示すように、キャリア飛び発生頻度は、現像ローラ２の交流電圧の周波数に依存しており、周波数が大きくなるにしたがって飛翔キャリア個数は減少している。これは周波数が大きくなると、キャリアの振動が低下し、現像ローラ２への飛翔が抑えられるためである。また、磁気ローラ１の主極磁力強度については、８４ｍＴから１２０ｍＴに上げると、キャリアがより強く磁気ローラ１に引き付けられるため、現像ローラ２の交流電圧の周波数３〜９ｋＨｚの全般にわたってキャリア飛びが半減しているのが示された。３５μｍのキャリア４では磁気ローラの主極磁力強度が１２０ｍＴでは周波数７．０ｋＨｚ以上で、また８４ｍＴでは周波数９．０ｋＨｚ以上で、５０μｍの大粒径キャリアと同等のキャリア飛び性能が実現できることがわかった。なお、前記大粒径キャリアでは現像ゴーストが発生したが、３５μｍのキャリア４では現像ゴーストの発生は低減した。
【００３０】
［比較例３]
平均粒径３５μｍのキャリア４（ＶＢ−１２；パウダーテック社製）および５０μｍのキャリア４（ＦＳＬ−２２；パウダーテック社製）を用いて、前記現像ローラ２の直流電圧を０〜１５０Ｖの範囲で変化させて、磁気ローラ１の主極磁力強度を８４ｍＴに、交流電圧の周波数を現像ローラ２および磁気ローラ１ともに６．０ｋＨｚに代えた以外は、実施例２と同様にしてキャリア飛びを測定した。結果を図５に示した。
図５に示すように、３５μｍのキャリア４は現像ローラ２と磁気ローラ１の電位差が７５Ｖを超えるとキャリア飛びが発生している。また、大粒径キャリアと比べると、小粒径キャリアの方がキャリア飛びを発生しやすい。つまり、小粒径キャリアは、周波数が８ｋＨｚ未満では、キャリアの振動が激しくなるため、現像ローラ２への飛翔しやくなり、イメージ間においてトナー薄層６の剥ぎ取り時の電位差が７５Ｖ以上になると磁気拘束力の不足によりキャリア飛びが発生する。
【図面の簡単な説明】
【００３１】
【図１】本発明にかかる現像装置を用いた画像形成装置の一例を示す概略構成図である。
【図２】画像形成と非画像形成時のトナーの流れを説明する図である。
【図３】平均粒径３５および６０μｍのキャリアについてのゴーストパターン画像出力回数とゴースト強度（ΔＥ）の関係を示すグラフである。
【図４】現像ローラにかかる交流電圧の周波数と飛翔キャリア個数との関係を示すグラフである。
【図５】現像ローラと磁気ローラ間の電位差と飛翔キャリア個数との関係を示すグラフである。
【図６】レーザー回折／散乱式粒度分布測定装置の測定原理を説明する概略図である。
【符号の説明】
【００３２】
１ 現像剤担持体（磁気ローラ）
２ トナー担持体（現像ローラ）
３ 静電潜像担持体（感光体ドラム）
４ キャリア
５ トナー
６ トナー薄層
９ 規制ブレード
１０ａ，１０ｂ ミキサー
１１ 露光装置
１２ 帯電装置
１３ 1次転写ローラ
１４ 印刷体
１５ トナーコンテナー
【図１】
2008058605.tif 000003
【図２】
2008058605.tif 000004
【図３】
2008058605.tif 000005
【図４】
2008058605.tif 000006
【図５】
2008058605.tif 000007
【図６】
2008058605.tif 000008